(57)【要約】【課題】  多数の測色対象について所望の観察条件で観察した場合の測色値を正確に取得することは困難であった。【解決手段】  第１の観察条件における測色結果を第２の観察条件における測色結果に補正するための分光分布を抽出するにあたり、第１の観察条件で評価用の見本を測色した測色値を取得し、第２の観察条件で評価用の見本を測色した測色値を取得し、第１の観察条件と第２の観察条件とに基づいて、観察条件に依存して変動する分光分布の成分を上記評価用の見本についての分光分布の成分として算出する。【選択図】  図１
2006200960.tif 000002
【特許請求の範囲】
【請求項１】
第１の観察条件における測色結果を第２の観察条件における測色結果に補正するための分光分布を抽出する分光分布算出方法であって、
第１の観察条件で評価用の見本を測色した測色値を取得する第１測色値取得工程と、
第２の観察条件で評価用の見本を測色した測色値を取得する第２測色値取得工程と、
第１の観察条件と第２の観察条件とに基づいて、観察条件に依存して変動する分光分布の成分を上記評価用の見本についての分光分布の成分として算出する分光分布算出工程とを備えることを特徴とする分光分布算出方法。
【請求項２】
上記第１の観察条件は予め決められた光源を用いて測色を行う測色器における観察条件であり、上記第２の観察条件は任意の光源を利用して測色を行う測色器における観察条件であることを特徴とする上記請求項１に記載の分光分布算出方法。
【請求項３】
上記第１測色値取得工程では第１の観察条件で所定の白色板を測色した測色値を取得し、上記第２測色値取得工程では第２の観察条件で上記所定の白色板を測色した測色値を取得し、得られた測色値に基づいて各観察条件において評価用の見本に照射される光の分光分布を取得することを特徴とする上記請求項１または請求項２のいずれかに記載の分光分布算出方法。
【請求項４】
上記分光分布算出工程は、上記観察条件に依存して変動する分光分布の成分が定数と予め決められた波長に依存する関数との積であるとして当該分光分布の成分を算出することを特徴とする上記請求項１〜請求項３のいずれかに記載の分光分布算出方法。
【請求項５】
上記予め決められた波長に依存する関数は、等色関数の線形結合であることを特徴とする上記請求項４に記載の分光分布算出方法。
【請求項６】
上記観察条件に依存して変動する分光分布の成分は、評価用の見本を印刷する印刷媒体と、評価用の見本を印刷する色材の種類と、光源の種類とのいずれかまたは組み合わせに依存するように定義することを特徴とする上記請求項１〜請求項５のいずれかに記載の分光分布算出方法。
【請求項７】
上記観察条件に依存して変動する分光分布の成分は、第２の観察条件において評価用の見本を観察する際の光源と評価用の見本と測色機の受光部との相対的な位置関係に依存する関数として定義することを特徴とする上記請求項１〜請求項６のいずれかに記載の分光分布算出方法。
【請求項８】
第１の観察条件における測色結果を第２の観察条件における測色結果に補正するための分光分布を抽出する分光分布算出方法であって、
第２の観察条件にて測定される分光分布は、第１の観察条件にて観察される分光分布とこの分光分布に対して付加された所定の関数形の分光分布とを含むと想定し、第１および第２の観察条件における測色値に基づいて当該所定の関数形の分光分布を算出することを特徴とする分光分布算出方法。
【請求項９】
上記請求項１〜請求項８のいずれかに記載の分光分布算出方法によって算出された分光分布の成分に基づいて測色値を補正する測色値補正方法であって、
第１の観察条件で測色対象を測色した測色値を取得する測色値取得工程と、
上記算出された分光分布の成分に基づいて、上記測色値取得工程にて取得した測色値を第２の観察条件における測色値に補正する測色値補正工程を備えることを特徴とする測色値補正装置。
【請求項１０】
第１の観察条件における測色結果を第２の観察条件における測色結果に補正するための分光分布を抽出する分光分布算出装置であって、
第１の観察条件で評価用の見本を測色した測色値を取得する第１測色値取得手段と、
第２の観察条件で評価用の見本を測色した測色値を取得する第２測色値取得手段と、
第１の観察条件と第２の観察条件とに基づいて、観察条件に依存して変動する分光分布の成分を上記評価用の見本についての分光分布の成分として算出する分光分布算出手段とを備えることを特徴とする分光分布算出装置。
【請求項１１】
上記請求項１０に記載の分光分布算出装置によって算出された分光分布の成分に基づいて測色値を補正する測色値補正装置であって、
第１の観察条件で測色対象を測色した測色値を取得する測色値取得手段と、
上記算出された分光分布の成分に基づいて、上記測色値取得手段にて取得した測色値を第２の観察条件における測色値に補正する測色値補正手段を備えることを特徴とする測色値補正装置。
【請求項１２】
第１の観察条件における測色結果を第２の観察条件における測色結果に補正するための分光分布を抽出する分光分布算出プログラムであって、
第１の観察条件で評価用の見本を測色した測色値を取得する第１測色値取得機能と、
第２の観察条件で評価用の見本を測色した測色値を取得する第２測色値取得機能と、
第１の観察条件と第２の観察条件とに基づいて、観察条件に依存して変動する分光分布の成分を上記評価用の見本についての分光分布の成分として算出する分光分布算出機能とをコンピュータに実現させることを特徴とする分光分布算出プログラム。
【請求項１３】
上記請求項１０に記載の分光分布算出プログラムによって算出された分光分布の成分に基づいて測色値を補正する測色値補正プログラムであって、
第１の観察条件で測色対象を測色した測色値を取得する測色値取得機能と、
所定の記録媒体に記録された上記分光分布の成分を示すデータを取得し、当該分光分布に基づいて、上記測色値取得機能にて取得した測色値を第２の観察条件における測色値に補正する測色値補正機能をコンピュータに実現させることを特徴とする測色値補正プログラム。
【請求項１４】
第１の観察条件における測色結果を第２の観察条件における測色結果に補正する測色方法であって、
第１の観察条件で測色対象を測色する測色工程と、
同測色工程によって測色した測色値を上記第２の観察条件で上記測色対象を測色したときの測色値に変換するためのデータを予め所定の記録媒体に記録しておき、同データを参照して上記測色工程によって測色した測色値を変換する測色値変換工程とを備えることを特徴とする測色方法。
【請求項１５】
第１の観察条件における測色結果を第２の観察条件における測色結果に補正する測色装置であって、
第１の観察条件で測色対象を測色する測色手段と、
同測色手段によって測色した測色値を上記第２の観察条件で上記測色対象を測色したときの測色値に変換するためのデータを記録する変換データ記録手段と、
上記変換データ記録手段に記録されたデータを参照して上記測色手段によって測色した測色値を変換する測色値変換手段とを備えることを特徴とする測色装置。
【請求項１６】
第１の観察条件における測色結果を第２の観察条件における測色結果に補正する測色プログラムであって、
第１の観察条件で測色対象を測色する測色機能と、
同測色機能によって測色した測色値を上記第２の観察条件で上記測色対象を測色したときの測色値に変換するためのデータを予め所定の記録媒体に記録しておき、同データを参照して上記測色機能によって測色した測色値を変換する測色値変換機能とをコンピュータに実現させることを特徴とする測色プログラム。
【発明の詳細な説明】
【技術分野】
【０００１】
本発明は、測色器で色を測色する技術に関する。
【背景技術】
【０００２】
出力装置による出力結果、例えば、印刷物やディスプレイでの出力結果についてその色を正確に測定するために、測色器が利用されている。（例えば、特許文献１参照）。
【特許文献１】特開平１０−１４２７７５号公報
【発明の開示】
【発明が解決しようとする課題】
【０００３】
従来、測色器による測色結果は正確であるという前提でその測色値が利用されてきた。例えば、印刷装置において所望の色を出力するためには、色変換テーブルを利用しており、この色変換テーブルを作成する際に測色器が利用されている。すなわち、機器依存色空間における階調値、例えば、印刷装置において使用する記録材の使用量を色毎に特定した階調値においては、この階調値に基づいて実際に出力を行わないと色を特定できない。
【０００４】
そこで、実際に所定の数のパッチを印刷し、測色器によって測色を行うことによって測色値を取得し、この測色値を利用して機器非依存色空間における階調値と上記記録材の色毎の階調値とを対応づけて色変換テーブルとしている。ここで、測色器においては、その観察条件を特定してパッチを測色しており、この観察条件を想定する限りにおいては測色値が正確であるが、異なる観察条件下でもこの測色値が正しいとは言えない。すなわち、この色変換テーブルによる変換結果が厳密に正しいのは測色器における観察条件と一致する条件で印刷物を観察する場合に限られる。
【０００５】
観察条件が異なることに起因して測色値が異なるのは当然であるが、測色対象を測色器によって測定した観察条件と測色対象を実際に利用する環境での観察条件とで測色値が大きく異なる場合には、測色対象を実際に利用する際に不都合が生じる。すなわち、色変換テーブルを作成する際の観察条件と観察者が印刷物を観察する観察条件とが異なると、上記色変換テーブルを作成する際に作成者が意図した通りの色と異なる色のように感じてしまう。例えば、当該作成者が意図したコントラストよりコントラストが小さく感じられたり、当該作成者が意図した色と異なる色相であるかのように感じられる。特に、観察条件が異なることに起因して色の見え方が異なりやすい出力物、例えば、顔料インクによる出力物については、上述の不都合が生じやすい。
【０００６】
また、測色対象を実際に観察する観察条件で測色を行う測色器を用いることができればよいが、このような測色器で多数の測色対象を測色するのは不便であることが多い。すなわち、測色器には複数の測色対象を自動で測色可能な測色器と人為的作業によって測色対象を変更しながら複数の測色対象を測色する測色器とがあり、前者においては観察条件が予め決められた状態で測色を行うが、後者においては観察条件に任意性がある。
【０００７】
しかし、上記色変換テーブルを作成するなど、各種の用途の測色では、自動で測色を行うことがほぼ必須である。すなわち、色変換テーブルを作成するためには、多数（例えば１０００個）のパッチを測色する必要があるが、このような多数のパッチを人為的作業によって一つずつ測定するのは非現実的であり、自動測定がほぼ必須である。従って、従来は、多数の測色対象について所望の観察条件で観察した場合の測色値を正確に取得することは困難であった。
本発明は、上記課題にかんがみてなされたもので、所望の観察条件下で多数の測色対象の測色結果を自動で取得することを目的とする。
【課題を解決するための手段】
【０００８】
上記目的を達成するため、本発明においては、第１の観察条件と第２の観察条件とで評価用の見本を測色し、両者の測色値に基づいて、観察条件に依存して変動する分光分布の成分を上記評価用の見本についての分光分布の成分として算出する。同じ見本を異なる観察条件にて測色した測色値は異なる値となるが、この差分は、評価用の見本を測色して得られる分光分布が観察条件に依存して変動することに起因して発生する。
【０００９】
この分光分布は、評価用の見本に照射される光（光源）の分光分布と評価用の見本自体の分光分布（分光反射率）との積で表現される。観察条件が変動すれば、光源の分光分布に相当する成分が変動するのは当然であるが、本発明では、さらに、評価用の見本の分光分布が、観察条件に依存して変動する分光分布の成分と観察条件に依存して変動しない分光分布の成分とを含むと仮定する。
【００１０】
すなわち、本願出願人は、観察条件の変動によって光源の分光分布が変動するのは当然であるが、さらに評価用の見本についての分光分布が一定ではなく、観察条件に依存して変動する分光分布の成分を含むと考えることにより、観察条件が異なることによって生じる測色値の変動を正確に補正できることを発明した。この観察条件に依存して変動する分光分布の成分は、第１の観察条件と第２の観察条件とにおける評価用の見本の測色値に基づいて算出することができる。
【００１１】
すなわち、本発明では、第１の観察条件における測色結果を第２の観察条件における測色結果に補正するので、第１の観察条件における測色値を基準として観察条件に依存して変動しない分光分布の成分を予測することができる。また、観察条件に依存して変動しない分光分布の成分を予測することができれば、第２の観察条件における測色値から観察条件に依存して変動しない分光分布の成分を除外した成分に基づいて、観察条件に依存して変動する分光分布の成分を算出することができる。
【００１２】
上記評価用の見本についての分光分布であって観察条件に依存して変動する分光分布の成分を算出することができれば、この分光分布に基づいて第１の観察条件における測色結果を第２の観察条件における測色結果に補正することができる。すなわち、第１の観察条件における測色結果から観察条件に依存して変動しない分光分布の成分を取得し、上記観察条件に依存して変動する分光分布の成分を組み合わせることによって測色結果を補正することができる。
【００１３】
尚、第１の観察条件は、上述のように、その測色値を基準として観察条件に依存して変動しない分光分布の成分を予測するための観察条件であるので、予め決められた光源を用いて測色を行う測色器における観察条件であることが好ましい。すなわち、観察条件としては、光源の種類、光源からの光の照射方向、測色器におけるセンサの測色対象に対する配向方向、測色対象の物性（印刷物における印刷媒体や印刷に使用する色材の種類等）等種々の条件が想定し得る。
【００１４】
ここで、評価用の見本を特定すれば、測色対象の物性は特定されるので、予め決められた光源を用いて測色を行う測色器（光源を備える測色器）を利用すれば、観察条件の主な要因のうち光源の種類、光源からの光の照射方向、測色器におけるセンサの測色対象に対する配向方向を特定することができる。このように観察条件の主な要因が固定的に特定されれば、第１の観察条件における測色値には、観察条件に依存して変動する分光分布が存在しないと想定することができる。
【００１５】
一方、任意の光源を利用して測色を行う測色器（光源を備えない測色器）においては、測色に際して何らかの光源を用意するのが一般的であるが、この光源にて測色対象を照らしたとしてもこの光源以外に存在する多方向からの光が測色対象に照射されることになる。従って、印刷物などの測色対象が実際に観察される観察条件に近い状態で測色を行うことができる。このように、多方向から測色対象に光が照射する観察条件では、本発明において抽出する、観察条件に依存して変動する分光分布の成分の寄与が大きくなることが判明している。
【００１６】
従って、以上の構成によれば、光源を備える測色器による測色結果を用いて、測色対象が実際に観察される観察条件に近い状態で測色を行った場合の測色結果を取得することが可能になる。また、光源を備える測色器としては、多数の測色対象を自動で測色する測色器が存在し、光源を備えない測色器においては、一般に測色対象を人為的にセットし、複数の測色対象を測色する場合には、逐次測色対象の位置を変更しながら測色を行う。従って、本発明によれば、自動で多数の測色結果を取得し、その測色結果に基づいて、測色対象が実際に観察される観察条件に近い状態で測色を行った場合の測色結果を取得することが可能になる。
【００１７】
上述のように、観察条件の変動によって光源の分光分布は変動する。また、本発明では、光源の分光分布を予め特定困難な観察条件（任意の光源を利用して測色を行う測色器における観察条件）であっても補正によって測色値を取得できるようにすることを目的としている。従って、本発明において観察条件に依存して変動する分光分布の成分を抽出する際には、測色対象に照射される光の分光分布を除外することが好ましい。
【００１８】
このための構成としては、白色板の測色結果を利用することが好ましい。すなわち、白色板は、可視光の全波長に渡ってほぼ一定の反射率を有する見本であり、この分光分布を測定すれば、その観察条件において測色対象に照射される光の分光分布とほぼ等価な分光分布を取得することができる。具体的には、第１の観察条件および第２の観察条件で白色板を測色し、得られた分光分布が各観察条件において評価用の見本に照射される光の分光分布であるとする。この分光分布を取得することができれば、第２の観察条件で評価用の見本を測定して得られた測色値のなかで、光源の分光分布成分と他の分光分布成分とを容易に分けることができる。従って、残りの分光分布が観察条件に依存して変動する分光分布の成分と観察条件に依存して変動しない分光分布の成分であるとして解析することが非常に容易になる。
【００１９】
さらに、観察条件に依存して変動する分光分布の成分は、可視光の波長に依存して変化する分光成分であれば良く、種々の関数形を想定することができる。この分光成分として好ましい関数として、定数と予め決められた波長に依存する関数との積とからなる関数を採用することができる。すなわち、観察条件に対する依存性を定数部分で表現することが可能になる。具体的には、この構成において波長に依存する関数を予め決定すれば、当該波長に依存する関数は観察条件に依存しない成分とすることができる。
【００２０】
さらに、上記定数については、同じ観察条件下で定数であるが、観察条件によって変動する定数と定義する。この結果、観察条件に対する依存性を定数部分のみによって表現することができ、非常に容易に観察条件に対する依存性を扱うことが可能になる。予め決められた波長に依存する関数としては、種々の関数を採用することができ、例えば、等色関数の線形結合を採用可能である。
【００２１】
すなわち、等色関数は、人間の目の感度に対応した性質を有し、可視光の波長に依存する関数として定義されている。一方、観察条件に依存して変動する分光分布は、人間の目によって観察されることによってその影響が認識される。従って、これらの等色関数の線形結合によって上記予め決められた波長に依存する関数を定義すれば、人間の目による認識をある程度反映した分光分布を定義することができる。この結果、観察条件に依存して変動する分光分布の波長依存性を的確に表現することができる。
【００２２】
線形結合を行う際の具体的な手法としては、種々の手法が採用可能であり、例えば、３つの等色関数の和によって構成することが可能である。むろん、定数と予め決められた波長に依存する関数との積とによって観察条件に依存して変動する分光分布の成分を表現する構成は一例であり、この分光分布が観察条件に依存して変動する限りにおいて、種々の構成を採用可能である。
【００２３】
また、上記分光分布の成分が依存する観察条件としては種々の観察条件を採用可能である。例えば、評価用の見本を印刷する印刷媒体と、評価用の見本を印刷する色材の種類と、光源の種類とのいずれかまたは組み合わせに依存する構成を採用可能である。すなわち、評価用の見本を印刷する印刷媒体や評価用の見本を印刷する色材の種類は、測色対象の分光分布に影響を与えるので、これらが異なると観察条件が異なると考える。尚、色材の種類としては、染料や顔料のインクやトナーまたはこれらにおける組成の差異など、分光分布を変動させ得る総ての条件が含まれる。
【００２４】
光源の種類は、測色対象を測色したときに測色器で受光する光の分光分布に影響を与えるので、光源の種類が異なれば観察条件が異なることとし、観察条件に依存して変動する分光分布の成分を変動させる。むろん、本発明では、光源の分光分布を予め特定困難な観察条件（任意の光源を利用して測色を行う測色器における観察条件）であっても補正によって測色値を取得できるようにすることを目的としている。そこで、上記光源の種類としては、光源を一つに特定する構成の他、主な光源を特定したり、光源を特定せずに、太陽光、蛍光灯など、光源を抽象的に特定したり、周りの環境、例えば、光源の色温度や晴れ、曇り等の天気を特定することによって光源を示すようにしても良い。
【００２５】
さらに、上記分光分布の成分が依存する観察条件として、光源と評価用の見本と測色機の受光部との相対的な位置関係に依存するように定義しても良い。すなわち、観察条件に依存して変動する分光分布は、評価用の見本を観察する角度によって変動し得ることが判明しており、この変動を記述するため、分光分布が上記相対的な位置関係に依存することとする。この構成において、実際に見本を観察する角度に近い角度によって上記相対的な位置関係を定義することで、実際の観察条件に近い状態の分光分布を取得することが可能になる。
【００２６】
尚、相対的な位置関係としては、光源と評価用の見本と測色機の受光部との位置関係を定義することができれば良く、角度等を採用可能である。例えば、光源と評価用の見本との角度について、平面状の見本においてある観察点から見本に対する垂線を定義し、この観察点と光源とを結ぶ直線を定義し、この直線と垂線との角度を定義する。さらに、この観察点と測色器の受光部とを結ぶ直線を定義し、この直線と上記垂線との角度を定義すれば、光源と評価用の見本と測色機の受光部との位置関係を定義することができる。
【００２７】
光源および測色器の受光部と評価用の見本との距離については、分光分布に影響を及ぼす度合いが小さいので、距離については任意とすることができるが、むろん、距離を考慮しても良い。尚、上述のように、光源の分光分布を予め特定困難な観察条件を考慮する際には、多数の光が評価用の見本に照射されている状況で、主な光源の位置を定義し、この光源と評価用の見本と測色機の受光部との位置関係を定義すればよい。
【００２８】
尚、本発明においては、第１の観察条件における測色結果を補正して第２の観察条件における測色結果を取得するための分光分布を取得することができればよい。そこで、第２の観察条件にて測定される分光分布は、第１の観察条件にて観察される分光分布とこの分光分布に対して付加された所定の関数形の分光分布を含むと想定し、この分光分布を算出する構成を採用してもよい。むろん、第２の観察条件にて測定される分光分布を光源に由来する分光分布成分と測色対象に由来する分光分布成分とに分けて考えるときには、測色対象に由来する分光分布成分が第１の観察条件にて観察される分光分布とこの分光分布に対して付加された所定の関数形の分光分布であるとすればよい。
【００２９】
以上のようにして上記所定の関数形の分光分布や観察条件に依存して変動する分光分布の成分を算出すれば、この分光分布に基づいて第１の観察条件における測色結果を第２の観察条件における測色結果に補正することができる。すなわち、上記算出された分光分布の成分と、第１の観察条件において測定した分光分布の成分との和によって測色対象に由来する分光分布成分が形成されるとし、第２の観察条件における光源の分光分布に相当する成分との積を算出すれば、公知の式に基づいて３刺激値等の測色値を算出することが可能になる。
【００３０】
以上の構成は、同様の技術的思想に基づく装置の発明としても成立する。従って、請求項１０，請求項１１にかかる発明においても、基本的には上記と同様の作用となる。また、コンピュータにて所定のプログラムを実行させ本発明を実施する場合もある。従って、本発明はそのプログラムとしても適用可能であり、請求項１２，請求項１３にかかる発明においても、基本的には上記と同様の作用となる。
【００３１】
むろん、請求項２〜請求項８に記載された構成を上記方法やプログラムに対応させることも可能である。また、いかなる記憶媒体もプログラムを提供するために使用可能である。例えば、磁気記録媒体や光磁気記録媒体であってもよいし、今後開発されるいかなる記録媒体においても全く同様に考えることができる。また、一部がソフトウェアであって、一部がハードウェアで実現される場合においても本発明の思想において全く異なるものではなく、一部を記録媒体上に記録しておいて必要に応じて適宜読み込む形態のものも含まれる。
【００３２】
また、本発明によって算出した分光分布に基づいて補正を行うためのデータを予め作成しておき、このデータに基づいて補正を行う測色装置を提供することもできる。すなわち、第１の観察条件にて測色対象を測色した測色値を、第２の観察条件で測色したときの測色値に変換するためのデータを予め作成する。このデータは、上記算出した分光分布を示すデータであっても良いし、第１の観察条件における複数の測色値と、第２の観察条件における複数の測色値とを対応づけるデータであっても良い。後者のデータは、上記算出した分光分布に基づいて、予め補正前のデータに対応する補正後のデータを算出することによって作成することができる。
【００３３】
むろん、測色装置は、受光部を備える測色器自体であってもよいし、受光部による検出結果をコンピュータに送信し、測色値を取得する装置であっても良い。また、測色装置によって測色する方法や測色装置を機能させるためのプログラムとして本発明を提供することも可能である。
【発明を実施するための最良の形態】
【００３４】
ここでは、下記の順序に従って本発明の実施の形態について説明する。
（１）分光分布算出の概要：
（２）分光分布算出のための装置および処理：
（３）第２の実施形態：
（４）他の実施形態：
【００３５】
（１）分光分布算出の概要：
図１は、本発明にかかる分光分布算出方法を概略的に説明する説明図である。この工程は多くの演算処理を必要とするのでコンピュータを利用するのが好ましい。また、後述するように複数のパッチを含むカラーチャートを印刷するが、本発明において算出した補正量によれば、測色値を補正することが可能であり、この補正に基づいて色変換テーブルを作成することで、実際の観察条件下での色の見え方を忠実に再現することが可能になる。従って、上記カラーチャートを印刷するプリンタは、上記色変換テーブルを用いて印刷を行うプリンタであることが好ましく、後述するハーフトーン処理としても当該プリンタで採用しているハーフトーン処理と同じアルゴリズムであることが必要とされる。
【００３６】
本発明においては、第１の観察条件において測色を行った測色値を補正して第２の観察条件で測色を行った場合の測色値を取得することを目的としている。一般に、異なる観察条件で測色を行えば測色値が異なるので、両者の測色値には差分が生じているが、本発明においてはこの差分を生じさせる要因を解析し、観察条件に依存して変動する分光分布の成分を算出することで上記補正を実施することを可能にした。
【００３７】
図１に示す実施形態においては、光源内蔵型の自動測色器による観察条件を第１の観察条件とし、光源非内蔵型の測色器による観察条件を第２の観察条件とし、両者の測色値に基づいて観察条件に依存して変動する分光分布の成分を算出する。図１は、当該観察条件に依存して変動する分光分布の成分を算出する際の基本的な考え方を説明する説明図である。測色器４０は、光源を内蔵しており、原稿台にカラーチャート等の測色対象を載置して測色を行うことができる。また、測色器４０のセンサは原稿台に平行な面上を移動することができ、予め決められた複数の部位を自動で測色することが可能である。
【００３８】
測色器５０は、光源を内蔵しておらず、原稿を測色器５０におけるセンサの視野内に測色対象をセットして測色を行う。この測色器５０において測色対象を変更する際には、所望の測色対象を測色器５０におけるセンサの視野内に移動させる必要がある。また、測色器５０は、光源を内蔵していないので、測色対象に対して周りから光が照射される状況で測色する必要がある。所定の光源を用意して測色対象を照らすこともできるが、この場合であっても測色対象に対して多方向から光が入射し得る。
【００３９】
プリンタで印刷を行う際に参照する色変換テーブルを作成するためには、通常、多数のパッチ（例えば１０００個）を測色する。従って、このような多数のパッチを測色するに際して、測色対象を人為的に選定し、逐次測色作業を実施することは煩雑であり、現実的な作業ではない。そこで、色変換テーブルを作成するために実施する測色作業では、測色器４０のような自動測色器を使用することが必須である。しかし、測色器４０のような自動測色器においては、光源が内蔵されており、また、観察角度（観察対象における垂線と測色器４０におけるセンサとの角度）が特定されている。
【００４０】
一方、実際に印刷物を観察する場合には、特定の光源からの光のみではなく多方向からの光が印刷物で反射した光を観察することになり、光源および観察角度は限定されない。従って、測色器５０のように光源を備えておらず、光源および観察角度が限定されない測色器の方が、実際に印刷物を観察する際の観察条件に近い条件で測色を行うことが可能である。そこで、本発明では、多数のパッチを測色器４０にて測色し、その測色結果を補正して測色器５０による測色結果を取得することを可能にする。
【００４１】
具体的には、その補正量を取得するために、上記観察条件に依存して変動する分光分布の成分を算出するが、本願出願人が印刷物を測色器４０と測色器５０とで測色した結果、印刷物の分光分布には一定の傾向があることが判明した。すなわち、測色器５０で得られた分光分布は、ほぼ全波長に渡って測色器４０で得られた分光分布より大きく、その分光分布は等色関数の線形結合に近似することが判明した。さらに、等色関数の線形結合に対して観察条件に依存する定数を乗じることによって、観察条件毎に異なる分光分布を記述できることが判明した。
【００４２】
すなわち、測色器４０における観察条件が第１の観察条件であるので、第１の観察条件では光源および観察角度が特定されるが、測色器５０における第２の観察条件では、光源および観察角度を厳密に特定することが困難である。従って、第２の観察条件としては、光源の種類や測色対象に対する角度が異なる複数の条件を想定し得るが、このような条件の変動があっても測色値を補正することが可能である。尚、測色対象の観察条件としては、測色対象自体の条件も含まれる。すなわち、測色対象を印刷する際に使用する印刷媒体や色材の種類によって分光分布が変動し得る。また、上記観察条件に依存する分光分布の変動は染料より顔料の方が大きいので、本発明は、顔料インクを測色対象としたときにより大きな効果が得られる。
【００４３】
上記観察条件に依存して変動する分光分布の成分を取得するために、第２の観察条件にてカラーチャートを観察した場合、カラーチャートの分光分布は観察条件に依存しない分光分布（以後、基礎反射成分と呼ぶ）と観察条件に依存する分光分布との和であると仮定する。この仮定は、測色器５０で得られた分光分布がほぼ全波長に渡って測色器４０で得られた分光分布より大きいことに基づいている。また、観察条件に依存する分光分布の成分は、可視光のほぼ全波長に渡って存在することから、以後、この分光分布を白色反射成分と呼ぶ。
【００４４】
尚、測色器５０による測色結果（３刺激値）を式にて示すと、式（１）のようになる。
【数１】
2006200960.tif 000003
ここで、左辺は３刺激値であり、Ｒ2p（λ）は、測色器５０においてカラーチャートを測色して得られる分光分布であり、上部に−を付したｘ（λ），ｙ（λ），ｚ（λ）は等色関数である。係数Ｋmは最大視感度（「色彩工学」、東京電機大学出版局、大田登著、２４頁）であり、Δλは測色器におけるサンプリング間隔である。
【００４５】
この式に対して上記仮定を導入すると、以下の式（２）となる。
【数２】
2006200960.tif 000004
ここで、Ｒ2w（λ）は測色器５０において白色板を測色して得られる分光分布、Ｒp（λ）は上記基礎反射成分の分光分布、ＲM（λ）は上記白色反射成分の分光分布である。他の文字は上記式（１）と同様である。また、３刺激値のＸ，Ｚについても同様に記述することができる。
【００４６】
尚、一般的に、色を客観的に表現するための３刺激値は、光源の分光分布と測色対象の分光分布と等色関数との積を波長毎に算出し、和を取ることによって算出される。しかし、本実施形態においては光源の分光分布を特定せずに測色を行っているため、測色器４０，５０にて取得する分光分布は、光源の分光分布と測色対象の分光分布とが乗じられたものである。そこで、白色板を測定することによって測色対象に照射される光の分光分布を取得する。すなわち、白色板は、可視光の全波長に渡ってほぼ一定の反射率を有する見本であり、当該白色板を測色することによって測色対象に照射される光の分光分布を取得することができる。従って、上記式（２）におけるＲ2w（λ）は第２の観察条件における光源の分光分布と等価である。
【００４７】
第２の観察条件における３刺激値の輝度Ｙ2pを上記式（２）のように仮定すれば、図１に示すように、第２の観察条件における輝度Ｙ2pを基礎反射成分に由来する輝度Ｙpと白色反射成分に由来する輝度ＹMとの和であるとすることができる。
【００４８】
本実施形態において、白色反射成分による輝度ＹMは、等色関数ｘ（λ），ｙ（λ），ｚ（λ）の和と係数ｋWとの積であると仮定した。すなわち、白色反射成分は、測色対象に対して多方向から光が照射し、多方向へ反射した反射光を観察する条件で印刷物を測色する場合に生じる成分であり、実際に印刷物を観察する際に視認される。そこで、本願出願人は、人間の目の感度に対応した等色関数の線形結合によって波長依存性を表現すれば白色反射成分の波長依存性に近くなると考え、上記仮定を採用した。実際に、顔料によって印刷した印刷物において測色器４０と測色器５０とで測色値が異なるとき、上記仮定に基づいて決定した分光分布を考慮すれば、測色器５０の測色値を記述できることが分かっている。
【００４９】
この仮定は、下記式（３）のように表すことができる。
【数３】
2006200960.tif 000005
すなわち、上記ＲM（λ）がｋW（ｘ（λ）＋ｙ（λ）＋ｚ（λ））となっており、他の文字は上記式（２）と同様である。
【００５０】
一方、白色反射成分による輝度ＹMは、Ｙ2p−Ｙpであるので、実測したＹ2pと測色器４０による測色値から推定されるＹpとの差分を算出すれば、白色反射成分による輝度ＹMの値は算出することができる。そこで、当該白色反射成分による輝度ＹMと上記式（３）とが等しくなるように係数ｋWを決定することができれば、白色反射成分の分光分布を取得することができると言える。
【００５１】
尚、本実施形態においては、当該係数ｋWを決定するため、第１の観察条件と第２の観察条件とで評価用の見本と白色板とを測色する。本実施形態において、評価用の見本はプリンタによって複数のパッチを印刷したカラーチャートである。また、図１においては、第１の観察条件において測色器４０でカラーチャートを測色した結果得られる分光分布をＲ1p（λ）、第１の観察条件において測色器４０で白色板を測色した結果得られる分光分布をＲ1w（λ）として示している。
【００５２】
さらに、第２の観察条件において測色器５０でカラーチャートを測色した結果得られる分光分布をＲ2p（λ）、第２の観察条件において測色器５０で白色板を測色した結果得られる分光分布をＲ2w（λ）として示している。むろん、波長毎に分光分布と等色関数とを乗じ、和を取れば３刺激値を取得することができる。本発明においては、これらの測色結果に基づいて、白色反射成分の分光分布を決定することができれば良く、白色反射成分の分光分布を決定することができる限りにおいて種々の手法を採用可能である。このための具体的な処理例は後に詳述する。
【００５３】
以上のようにして、白色反射成分の分光分布を取得することができれば、測色器４０において任意の印刷物を測色した測色値と測色器５０において白色板を測定した測色値から補正後の値（測色器５０にて当該任意の印刷物を測色した場合の測色値）を取得することができる。すなわち、補正後の値Ｙ’は、下記式（４）にて算出することができる。
【数４】
2006200960.tif 000006
ここで、Ｒ1w（λ）は測色器４０において白色板を測色して得られる分光分布、Ｒ1（λ）は測色器４０において任意の印刷物を測色して得られる分光分布であり、他の文字は上記式（３）と同様である。
【００５４】
尚、本発明においては、式（４）内に基礎反射成分の分光分布を示す（Ｒ1（λ）／Ｒ1w（λ））のみならず、白色反射成分の分光分布を示すｋW（ｘ（λ）＋ｙ（λ）＋ｚ（λ））が含まれていることが重要である。すなわち、観察条件が異なることによって変動する分光分布の成分が、光源の変動のみによって記述できるのであれば、式（４）内に白色反射成分の分光分布を含める必要はなく、第２の観察条件における光源の分光分布に相当するＲ2w（λ）と基礎反射成分の分光分布とを乗じるのみで良いはずである。
【００５５】
しかし、実際は、第２の観察条件における輝度Ｙ’を算出するに際して基礎反射成分の分光分布に白色反射成分の分光分布を加えて輝度を計算しなければ正確な補正ができない。顔料などの印刷物では、光源の差異以外にも観察角度等の影響を受けて白色反射成分が生じる得るからである。従って、本実施形態における白色反射成分の分光分布が、観察条件に依存して変動する分光分布であるといえる。
【００５６】
尚、本実施形態においては、３刺激値の輝度Ｙを用いて白色反射成分に由来する輝度、すなわち、補正量を算出しているが、むろん、３刺激値のＸやＺを利用することもできる。また、本発明では、３刺激値自体（波長毎の値について和を取った結果）について観察条件に依存する補正値を算出しているのではなく、観察条件に依存して変動する分光分布を算出している。従って、一旦分光分布を決定した後には、輝度ＹのみならずＸ、Ｚも正確に補正することができ、この結果、色相や彩度の補正も行うことが可能になる。さらに、白色反射成分の分光分布は既知の等色関数に係数ｋWを乗じたものであることから、第２の観察条件における光源等が変動した場合であっても係数ｋWを変更することによって容易に観察条件の差異に追従して補正を行うことが可能である。
【００５７】
（２）分光分布算出のための装置および処理：
次に、上述の分光分布算出方法を適用する装置およびその処理を詳細に説明する。図２は上記係数ｋW算出するためのコンピュータ構成を示すブロック図であり、図３は係数ｋWを算出するための処理を示すフローチャートである。コンピュータ１０は演算処理の中枢をなすＣＰＵ１１を備えており、このＣＰＵ１１はシステムバスを介してコンピュータ１０全体の制御を行う。同システムバスには、ＲＯＭ１２、ＲＡＭ１３、ハードディスク１４や図示しないＵＳＢＩ／Ｆ，ＣＲＴＩ／Ｆや入力機器Ｉ／Ｆ等が接続されている。
【００５８】
ハードディスク１４には、ソフトウェアとしてオペレーティングシステム（ＯＳ）、係数ｋWを算出するための分光分布算出プログラム２０およびパッチを印刷するためのプリンタドライバ３０等が格納されており、これらのソフトウェアは、実行時にＣＰＵ１１によって適宜ＲＡＭ１３に転送される。ＣＰＵ１１は、ＲＡＭ１３を一時的なワークエリアとして適宜アクセスしながらＯＳの制御下で種々のプログラムを実行する。
【００５９】
入力機器Ｉ／Ｆには、図示しないキーボードやマウスが操作用入力機器として接続される。また、ＣＲＴＩ／Ｆには、表示用のディスプレイが接続されている。従って、コンピュータ１０では、キーボードやマウスによる操作内容を受け付け、また、ディスプレイに各種情報を表示することが可能である。さらに、ＵＳＢＩ／Ｆには、プリンタ１５が接続されており、コンピュータ１０が出力するデータに基づいて画像を印刷することが可能である。むろん、プリンタ１５との接続Ｉ／ＦはＵＳＢＩ／Ｆに限られる必要もなく、パラレルＩ／Ｆ，シリアルＩ／Ｆ，ＳＣＳＩ接続など種々の接続態様を採用可能であるし、今後開発されるいかなる接続態様であっても同様である。
【００６０】
また、コンピュータ１０には図示しないインタフェースを介して測色器４０および測色器５０が接続されており、プリンタ１５にて印刷したカラーチャート上の各パッチを当該測色器４０および測色器５０によって測色し、その分光分布や３刺激値等の測色値をコンピュータ１０に対して供給することができる。
【００６１】
上記分光分布算出プログラム２０は、測色値取得部２１と基礎反射成分算出部２２と平均値算出部２３と白色反射成分算出部２４とを備えている。また、上記プリンタドライバ３０は、画像データ取得モジュール３１とハーフトーン処理モジュール３２と印刷処理モジュール３３とを備えている。本実施形態においては、これらのプログラムが以下のように動作して係数ｋWを算出する。
【００６２】
プリンタドライバ３０は、図３のステップＳ１００にてカラーチャートを印刷する。すなわち、本実施形態において、複数のパッチを一枚の印刷用紙に印刷してカラーチャートとするためのパッチ画像データ１４ａが予めハードディスク１４に記録されており、画像データ取得モジュール３１はカラーチャートを印刷するために当該パッチ画像データ１４ａを取得する。尚、本実施形態において、パッチ画像データ１４ａは、プリンタ１５で使用するインクの色毎にその使用量を特定したデータであり、複数の画素について各色のインク使用量を階調表現したデータである。例えば、プリンタ１５においてＣＭＹＫｌｃｌｍ（シアン、マゼンタ、イエロー、ブラック、ライトシアン、ライトマゼンタ）の各色インクを使用する場合には、各画素において色毎に使用量を階調値（例えば０〜２５５）で示している。
【００６３】
画像データ取得モジュール３１がパッチ画像データ１４ａを取得すると、このデータが上記ハーフトーン処理モジュール３２に受け渡される。ハーフトーン処理モジュール３２は、各画素の階調値を変換して画素毎にインク滴の記録の有無や画素毎に記録するインク滴の量を特定したハーフトーンデータを取得するハーフトーン処理を行うモジュールである。印刷処理モジュール３３はかかるハーフトーン処理後のデータを受け取って、プリンタ１５で使用される順番に並べ替える。すなわち、プリンタ１５にはインク吐出デバイスとして図示しない吐出ノズル列が搭載されており、当該ノズル列では副走査方向に複数の吐出ノズルが並設されるため、副走査方向に数画素分離れたデータが同時に使用される。
【００６４】
そこで、主走査方向に並ぶデータのうち同時に使用されるべきものがプリンタ１５にて同時にバッファリングされるように順番に並べ替える並べ替え処理を行う。印刷処理モジュール３３は、この並べ替え処理の後、画像の解像度などの所定の情報を付加して印刷データを生成し、プリンタ１５に出力する。プリンタ１５においては当該印刷データに基づいて上記パッチ画像データ１４ａが示す画像を印刷し、カラーチャートを得る。
【００６５】
尚、通常の印刷においては、異なる表色系で表現された画像データのそれぞれが示す色を整合させるため、色変換テーブルを参照して色変換を行う。従って、本実施形態におけるプリンタドライバ３０において、当該色変換を実施する色変換モジュールを備えていても良い。この場合、カラーチャートを印刷するために色変換モジュールによる処理は必要とされないので、その処理をスキップすればよい。
【００６６】
カラーチャートが印刷されると、分光分布算出プログラム２０の測色値取得部２１が測色器４０および測色器５０で測色した測色値（分光分布）を取得する（ステップＳ１０５〜Ｓ１２０）。すなわち、測色器４０によって上記印刷したカラーチャートを測色し（ステップＳ１０５）、また、測色器４０によって上記白色板を測色する（ステップＳ１１０）。得られる分光分布はそれぞれＲ1p（λ），Ｒ1w（λ）である。この測色器４０においては、上述のように光源を内蔵しており、観察角度も決められているので、この光源および観察角度で上記カラーチャートおよび白色板を測色する条件が第１の観察条件である。従って、本実施形態では、ステップＳ１０５，Ｓ１１０が上記第１測色値取得工程に相当する。
【００６７】
さらに、測色器５０においても上記印刷したカラーチャートを測色し（ステップＳ１１５）、さらに、上記白色板を測色する（ステップＳ１２０）。得られる分光分布はそれぞれＲ2p（λ），Ｒ2w（λ）である。この測色器５０においては、上述のように光源を内蔵していないので、測色可能な明るさで測色対象が照らされている状態および適当な観察角度（実際に印刷物を観察する場合の観察角度であることが好ましい）で測色を行う。この観察条件が第２の観察条件である。従って、本実施形態では、ステップＳ１１５，Ｓ１２０が上記第２測色値取得工程に相当する。
【００６８】
尚、以上のようにして測色された測色値は、ハードディスク１４に記録される（測色値データ１４ｂ）。また、測色器４０および測色器５０においては、測色対象の分光分布を測定するが、むろん、等色関数を波長毎に乗じて和を取ることによって、容易に３刺激値を算出することが可能である。本実施形態においては、この演算のため、予めハードディスク１４に等色関数を示す等色関数データ１４ｃが記録されている。
【００６９】
次に、基礎反射成分算出部２２は、測色値データ１４ｂおよび等色関数データ１４ｃを参照して、基礎反射成分による輝度Ｙpを算出する（ステップＳ１２５）。具体的には、以下の式（５）によって輝度Ｙpを算出する。
【数５】
2006200960.tif 000007
【００７０】
ここで、Ｒ2w（λ）は測色器５０において白色板を測色（ステップＳ１２０）して得られる分光分布であり、Ｒ1w（λ）は測色器４０において白色板を測色（ステップＳ１１０）して得られる分光分布であり、Ｒ1p（λ）は測色器４０においてカラーチャートを測色（ステップＳ１０５）して得られる分光分布であり、他の文字は、上記式（１）と同様である。尚、分光反射率Ｒ1p（λ）はカラーチャート上のパッチ毎に得られるので、輝度Ｙpは、上記ステップＳ１００にて印刷されたカラーチャートに含まれる各パッチについて算出される。
【００７１】
また、上記式（５）において、Ｒ1p（λ）／Ｒ1w（λ）は、各パッチ自体の分光分布（基礎反射成分）に相当する。すなわち、第１の観察条件でパッチを測色して得られる分光分布Ｒ1p（λ）は、光源の分光分布とパッチ自体の分光分布との積であるので、第１の観察条件における光源の分光分布に相当するＲ1w（λ）で規格化することにより、パッチ自体の分光分布に相当する分布が得られる。この導出は、第２の観察条件では白色反射成分が発生し、第１の観察条件では白色反射成分が発生しないと仮定したことによって可能になる。このようにして、パッチ自体の分光分布が得られれば、この分光分布と第２の観察条件における光源の分光分布に相当するＲ2w（λ）を用いて輝度Ｙpを算出することが可能になる。
【００７２】
平均値算出部２３は、白色反射成分による輝度ＹMについて複数のパッチ毎の平均を算出する（ステップＳ１３０）。尚、ここでは、輝度ＹMが輝度Ｙ2pと輝度Ｙpとの差分であるとしている。輝度Ｙ2pは、上記ステップＳ１１５の測色値から式（１）によって算出される値であり、輝度Ｙpは上記ステップＳ１２５で算出した値である。
【００７３】
本願出願人は、顔料インクで印刷したパッチについて第２の観察条件における光源の種類を変更して輝度ＹMを算出した。この結果、輝度ＹMの光源依存性は小さく、光源によらずほぼ一定と考えて良いことが判明している。但し、光源によらずほぼ一定であるのは、輝度ＹMであって、白色反射成分の分光分布が光源によらず一定という訳ではない。すなわち、輝度ＹMは、光源の分光分布と白色反射成分の分光分布と等色関数との積を波長毎に加えることで算出されるが、光源が変わると光源の分光分布が変動するので、これに合わせて白色反射成分の分光分布も変動し、この結果得られる輝度ＹMが光源によらずほぼ一定となることもある。
【００７４】
白色反射成分算出部２４は、ステップＳ１３０にて算出した輝度ＹMと輝度Ｙ2w（ステップＳ１２０で測色した分光分布Ｒ2w（λ）から式（１）と同様な演算にて得られる輝度）と等色関数とから、白色反射成分における係数ｋWを算出する（ステップＳ１３５）。本実施形態においては、以下の導出に基づいて係数ｋWを算出する。
【００７５】
すなわち、輝度ＹMは下記式（６）、第２の観察条件で測色した白色板の輝度ＹWは下記式（７）で表現される。
【数６】
2006200960.tif 000008
【数７】
2006200960.tif 000009
【００７６】
白色板は可視光の全波長に渡ってほぼ一定の反射率を有する見本であるので、上記式（６），（７）において分光分布Ｒ2w（λ）が定数ｒwと考えれば、式（６），（７）をそれぞれ式（８），（９）のように変形することができる。
【数８】
2006200960.tif 000010
【数９】
2006200960.tif 000011
【００７７】
両式に基づいてｒwを削除して式を整理すれば、係数ｋWは下記式（１０）のように表すことができる。
【数１０】
2006200960.tif 000012
【００７８】
この式には、輝度ＹM、輝度Ｙ2wおよび等色関数という算出済の値あるいは既知の関数のみを含むので、算出済の値を代入し、等色関数に基づいて波長毎の値の和を取れば、係数ｋWを算出することができる。以上のように、ステップＳ１２５〜Ｓ１３５の処理が上記分光分布算出工程に相当する。白色反射成分算出部２４は、以上の式に基づいて係数ｋWを算出した後、上記ステップＳ１１５，Ｓ１２０における第２の観察条件を示すデータ、例えば、光源の種類と印刷媒体と印刷に使用する色材の種類とを示すデータに係数ｋWを対応づけ、係数データ１４ｄとしてハードディスク１４に記録する（ステップＳ１４０）。
【００７９】
尚、第２の観察条件での測定、測色器５０における測定に際しては、光源を明確に特定することができない。すなわち、測色器５０は光源を備えておらず、特定の光源にて測色対象を照らすとしても、この光源以外からの光が測色対象に照射される。従って、係数ｋWに対しては、光源の種類を対応づける以外にも、周りの環境、例えば、光源の色温度や晴れ、曇り等の天気を特定することによって光源を示すようにしても良い。むろん、測色器５０にて測定を行う際に使用した主な光源を観察条件として示すことにしても良い。
【００８０】
以上のようにして、係数ｋWを示す係数データ１４ｄが得られれば、以後、この係数データ１４ｄを参照し、上記式（４）を算出することによって第１の観察条件における測色値を補正し、第２の観察条件における測色値を取得することができる。尚、式（４）には、測色器４０において白色板を測色して得られる分光分布Ｒ1w（λ）と、測色器５０において白色板を測色して得られる分光分布Ｒ2w（λ）とが含まれるので、上記係数データ１４ｄには、これらのデータを含めることが好ましい。係数データ１４ｄにこれらのデータが含まれていれば、測色器４０において任意の印刷物を測色して得られる分光分布Ｒ1（λ）のみに基づいて、式（４）の補正値Ｙ’を取得することができる。
【００８１】
（３）第２の実施形態：
以上のようにして補正量を示す係数データ１４ｄを算出すれば、各種の態様に本発明による補正を適用することが可能になる。例えば、測色器４０に補正用のプロファイルを予め記録しておき、測色器４０によって第１の観察条件での測定を行った後に第２の観察条件における測色値を出力する構成を採用可能である。
【００８２】
図４は、補正用のプロファイルを備えた測色器４０の構成を示すブロック図である。同図に示すように、測色器４０はセンサ４１とセンサ駆動部４１ａとＡ／Ｄ変換部４２とプログラム実行環境（ＣＰＵ４３，ＲＡＭ４４，ＲＯＭ４５）とユーザインタフェース（操作部４６，出力部４７）とコンピュータ１０に接続するためのインタフェース（Ｉ／Ｆ４８）と光学系（光源４９，光源制御部４９ａ）を備えている。
【００８３】
測色器４０においては、ＲＯＭ４５に予め記録された図示しないプログラムをＲＡＭ４４に転送し、ＣＰＵ４３がこのプログラムを実行することによって各部を制御する。すなわち、操作部４６は、図示しないボタン等の入力機器に接続されており、ＣＰＵ４３は当該操作部４６における操作内容を取得する。また、出力部４７は所定の情報を出力する表示装置であり、操作部４６における操作入力のガイドや測色結果を表示することができる。
【００８４】
センサ４１は、測色器４０が備える図示しない原稿台の面に対して平行に移動可能に構成されており、ＣＰＵ４３の指示によってセンサ駆動部４１ａがセンサ４１を駆動し、所望の位置にセットする。センサ４１の移動は、操作部４６による入力に基づいて制御しても良いし、予め決められた手順によって制御しても良く種々の手法を採用可能である。光源制御部４９ａは、ＣＰＵ４３の指示によって光源４９に電源を供給し、光源を点灯する。光源４９は、原稿台に載置された測色対象であってセンサ４１の視野内にある測色対象に対して光を照射する。
【００８５】
Ａ／Ｄ変換部４２は、ＣＰＵ４３の指示に従って駆動され、センサ４１にて検出する信号をデジタル信号に変換する。ＣＰＵ４３このデジタルデータに基づいて測色対象の分光分布を検出する。ＣＰＵ４３にて実行されるプログラムのうち、上記測色の制御に関するプログラムとしては、測色制御部４３ａと補正部４３ｂとが含まれる。測色制御部４３ａは、上述のように、センサ駆動部４１ａと光源制御部４９ａとに指示を行い、この結果Ａ／Ｄ変換部４２から出力されるデジタル信号を取得する。本実施形態において、この測色制御部４３ａの処理が上記測色工程に相当する。
【００８６】
このデジタル信号は、第１の観察条件における分光分布であるので、補正部４３ｂは当該分光分布に基づいて補正を行う。本実施形態において、この補正部４３ｂの処理が上記測色値変換工程に相当する。ＲＯＭ４５には、この補正を行うため、予め補正プロファイル４５ａが記録されている。補正プロファイル４５ａは、第１の観察条件における測色値と第２の観察条件における測色値とを対応づけたプロファイルデータであり、両者を対応づけることができる限りにおいて、各種のデータ態様を採用することができる。
【００８７】
例えば、上記式（１）におけるＲ2p（λ）の替わりに、第１の観察条件下で測色を行った場合の分光分布Ｒ1（λ）を代入すれば、第１の観察条件における３刺激値を算出することができる。一方、上記式（４）に対してこの分光分布Ｒ1（λ）と上記係数データ１４ｄが示す係数ｋWと上記分光分布Ｒ1w（λ）、分光分布Ｒ2w（λ）を代入すれば、第２の観察条件における３刺激値を算出することができる。
【００８８】
そこで、第１の観察条件における３刺激値と第２の観察条件における３刺激値を対応づけ、この対応関係を複数の３刺激値について取得すれば、３刺激値を変換するためのテーブルデータを作成することができる。このようなテーブルデータを補正プロファイル４５ａとしておけば、上記測色制御部４３ａによって取得した分光分布に基づいて３刺激値を算出した後、補正プロファイル４５ａを参照した補間演算によって第２の観察条件における３刺激値を取得することが可能になる。
【００８９】
むろん、補正プロファイル４５ａとしては、複数の３刺激値同士の対応関係を規定する他、第１の観察条件における３刺激値と第２の観察条件における３刺激値との関係を示す関数であっても良いし、他の表色系、例えば、Ｌ*ａ*ｂ*等の対応関係を示すデータであっても良い。また、上記係数ｋWと上記分光分布Ｒ1w（λ）、分光分布Ｒ2w（λ）および等色関数によって補正プロファイル４５ａを構成しても良い。この場合、測色制御部４３ａの処理が上記測色値取得工程における処理に相当し、補正部４３ｂにおける処理が測色値補正工程に相当する。
【００９０】
いずれにしても、補正部４３ｂは当該補正プロファイル４５ａを参照して第１の観察条件における測色値を補正し、第２の観察条件における測色値を取得する。この後、ＣＰＵ４３は当該測色値を出力部４７に出力しても良いし、Ｉ／Ｆ４８を介してコンピュータ１０に出力しても良い。尚、上記係数ｋWは、第２の観察条件、例えば、光源の種類に依存し得るので、補正プロファイル４５ａは、第２の観察条件毎に予め用意しておくことが好ましい。この場合、操作部４６等によって第２の観察条件を指定することができるように構成しておき、補正部４３ｂは当該指定された観察条件に対応した補正プロファイルを参照する。この結果、測色器４０による測色のみで種々の観察条件下での測色値を取得することが可能になる。
【００９１】
（４）他の実施形態：
本発明においては、観察条件に依存して変動する分光分布の成分を算出し、または、算出した分光分布に基づいて補正を実施することができる限りにおいて、各種の実施形態を採用することができる。例えば、上記観察条件に依存して変動する分光分布の成分である白色反射成分を算出するための計算手法は、上述の式（１０）に限定されるわけではない。
【００９２】
他の手法としては、数値計算によって係数ｋWを特定する構成を採用可能である。すなわち、白色反射成分による輝度ＹMは上記式（３）で表現され、また、その値は、上記ステップＳ１３０のようにして第１の観察条件および第２の観察条件における評価用の見本および白色板の測色値から算出することができる。そこで、当該算出した値と式（３）とが等しいとし、式（３）における分光分布Ｒ2w（λ）に実測値あるいは定数ｒwを代入すれば、未知の数を係数ｋWのみにすることができる。
【００９３】
この結果、各種の数値計算手法によって係数ｋWを算出することが可能になり、算出した結果の係数ｋWと（ｘ（λ）＋ｙ（λ）＋ｚ（λ））との積によって上記白色反射成分の分光分布を取得することができる。むろん、上記図３のステップＳ１３５において、上記分光分布Ｒ2w（λ）を定数ｒwにすることなく、実測値を用いてもよい。
【００９４】
さらに、本発明によって得られた補正量を参照して補正を行うための構成は、上記第２の実施形態に限られない。例えば、上記図２に示すコンピュータ１０において補正を実施することも可能である。すなわち、コンピュータ１０において係数データ１４ｄを算出し、ハードディスク１４に記録した後には、この係数データ１４ｄを参照することにより、測色器４０で測定した分光分布のみに基づいて測色器５０における測色値を取得することが可能である。
【００９５】
さらに、上述の実施形態においては、第１の観察条件においても白色板を測色していたが、第１の観察条件での測色を実施する測色器４０は光源を内蔵しているので、予め決められた光源の分光分布を取得しておいても良い。むろん、この場合は第１の観察条件で白色板を測色する作業が不要になる。さらに、上記実施形態においては、白色反射成分の分光分布が係数ｋWと（ｘ（λ）＋ｙ（λ）＋ｚ（λ））との積であると仮定したが、むろん、等色関数の線形結合を行う際に、等色関数毎に異なる係数を乗じても良いし、波長に依存する他の関数を仮定しても良く、種々の構成を採用可能である。
【００９６】
さらに、上述の実施形態においては、白色反射成分の分光分布における係数ｋWが光源の種類と印刷媒体と印刷に使用する色材の種類とに依存することを想定していたが、むろん、他の要素を含めて第２の観察条件を定義し、係数ｋWが当該他の要素に依存することとしても良い。例えば、光源と評価用の見本と測色器５０との相対的な位置関係に依存することとして白色反射成分の分光分布を決定しても良い。
【００９７】
図５は、相対的な位置関係として、光源と評価用の見本との角度および測色器５０のセンサと評価用の見本との角度を考慮する例を説明する説明図である。同図において、光源と評価用の見本との角度は、評価用の見本（むろん白色板であっても同じ位置関係で測色する）の垂線と光源からの光経路（光源と観察点とを結ぶ直線）との角度φであり、センサと評価用の見本との角度は、評価用の見本の垂線とセンサに入射する光の光経路（観察点とセンサとを結ぶ直線）との角度θである。
【００９８】
ここで、角度φと角度θが等しければ正反射光を観察していることになり、角度φと角度θとが等しくなければ拡散反射光を観察していることになる。出願人の実験によれば、ある顔料による印刷物では、正反射からのずれに依存して白色反射成分が変動することが判明しており、正反射からのずれが大きくなるほど白色反射成分が小さくなることが判明した。
【００９９】
そこで、このような印刷物における白色反射成分の角度依存性を考慮して白色反射成分の分光分布を定義すると、より正確に補正を実施することが可能である。このためには、例えば、上記係数ｋWの替わりに、角度依存性のある係数β／｜φ−θ｜を導入することが可能である。すなわち、正反射からのずれが大きくなるほど係数β／｜φ−θ｜は小さくなるので、この係数と（ｘ（λ）＋ｙ（λ）＋ｚ（λ））との積が白色反射成分の分光分布であると仮定する。
【０１００】
さらに、角度φと角度θとについて複数の組み合わせによって係数を決定する。例えば、上記図２と同じ構成において図３のフローチャートを実施するにあたり、カラーチャートおよび白色板に対して光源に関する角度φおよび測色器５０に関する角度θを測定する。尚、測色器５０においては、光源を一つに限定する必要はないが、カラーチャートや白色板を測色する際に使用する主な光源を特定すれば、光源と評価用の見本との角度を定義することができる。
【０１０１】
角度を測定したら、上記図３に示すフローと同様の処理を進め、上記式（１０）にて算出される係数が係数β／｜φ−θ｜であとして、βの値を決定する。この角度の組み合わせについてβの値を決定したら、角度φと角度θとの値の組み合わせを変更して、複数回同じ処理を繰り返す。この結果、角度に依存した複数のβが得られることになり、第１の観察条件における測色値から第２の観察条件における測色値を算出するに際して角度φと角度θとを特定すれば、角度に依存した白色反射成分の分光分布を取得し、角度に依存した補正を実施することが可能である。
【０１０２】
むろん、角度φと角度θとの値の組み合わせに対応した複数のβが得られていれば、実際に角度φと角度θとによって測色を行っていない係数β／｜φ−θ｜であっても補間によって算出することが可能である。従って、任意の角度φと角度θとの組み合わせについて係数β／｜φ−θ｜を決定することができる。尚、上述のように角度依存性を１／｜φ−θ｜と定義することは必須ではなく、白色反射成分の角度依存性に応じて適宜変更することが可能である。
【図面の簡単な説明】
【０１０３】
【図１】本発明にかかる分光分布算出方法を概略的に説明する説明図である。
【図２】補正量を算出するためのコンピュータのブロック図である。
【図３】係数ｋWを算出するための処理を示すフローチャートである。
【図４】補正用のプロファイルを備えた測色器のブロック図である。
【図５】角度依存性を考慮する例を説明する説明図である。
【符号の説明】
【０１０４】
１０…コンピュータ、１１…ＣＰＵ、１２…ＲＯＭ、１３…ＲＡＭ、１４…ハードディスク、１４ａ…パッチ画像データ、１４ｂ…測色値データ、１４ｃ…等色関数データ、１４ｄ…係数データ、１５…プリンタ、２０…分光分布算出プログラム、２１…測色値取得部、２２…基礎反射成分算出部、２３…平均値算出部、２４…白色反射成分算出部、３０…プリンタドライバ、３１…画像データ取得モジュール、３２…ハーフトーン処理モジュール、３３…印刷処理モジュール、４０…測色器、４１…センサ、４１ａ…センサ駆動部、４２…Ａ／Ｄ変換部、４３…ＣＰＵ、４３ａ…測色制御部、４３ｂ…補正部、４４…ＲＡＭ、４５…ＲＯＭ、４５ａ…補正プロファイル、４６…操作部、４７…出力部、４９…光源、４９ａ…光源制御部、５０…測色器
【図１】
2006200960.tif 000013
【図２】
2006200960.tif 000014
【図３】
2006200960.tif 000015
【図４】
2006200960.tif 000016
【図５】
2006200960.tif 000017